(57)【要約】      （修正有）【課題】従来の介護服は下着・上衣・防寒服を重ね着するとき、着る枚数だけ着脱の時間がかかり、介護される側の苦痛・介護する側の労働を軽減し、素早く着脱が出来、清潔を保つ介護服を提供するものである。【解決手段】上衣と下着を重ねて患者の麻痺等を鑑み、左右どちらか一方を首元より袖口までオープンファースナーで全開し、反対側の首元より肩先までを上衣と下着がずれないようにミシンで縫い付ける。また、下端までオープンファースナーで全開し、オープンファースナーで全開するのを利用して上衣と下着を一枚とする。ズボンは、ズボン胴回りのゴム巾だけ下着を下にずらして重ね、胴前中央より脇線側に、１２〜１３センチの位置で上端から下端までオープンファースナーで全開してオープンファースナー部分で上衣と下着を縫い付ける。【選択図】図４
0003142532.tif 000002
【実用新案登録請求の範囲】
【請求項１】
上衣と下衣にテープを使用してオープンファースナーを設置し、その部分で上衣と下着を結合して２枚の服を１枚とした介護服。
【考案の詳細な説明】
【技術分野】
【０００１】  本考案は上衣と下着を重ねてオープンファースナーを設置し、設置部位で上衣と下着を縫い合わせ、２枚を１枚とした介護服に関するものである。
【背景技術】
【０００２】  介護を受ける患者の着脱が早く、苦痛を和らげると共に介護する人の労働軽減が望まれる。従来このような要望に応える為に多くの介護用衣服が考案されている。特開平１１−６１５２２号や特開平１１−９３００６号には上衣、下衣の繋ぎの介護服で腹部あるいは胸部より両足首下まで３本のファ−スナ−によって開平出来るように構成してあるものが開示されている。【０００３】  上記公知例の物は１ヶ所より３方にファ−スナ−で全開するようになっていて着脱はさせやすい利点はあるが、着脱の際オ−プンが多いとそれだけ時間がかかりオ−プンファ−スナ−を３本寄せる部位が盛り上がってゴツゴツしたり、見た目が悪い。また下衣一部汚しても全体をクリ−ニングするという不便さがある。【０００４】  特開２０００−１７５０１号は両前身ごろの中央をウエストより脚部を全開してウエスト部位にボタンを設置されたトランクスで着脱させやすい利点がある。しかし、トランクスに限られている事と開口部のボタンは寝ている状態では止めにくい。【０００５】  。平２−５７９１９号は着物式で構成された物で着脱しやすい利点はある。しかし、着物式の場合マッサージ・リハビリー等の時、手足を広げるのに不都合である。【０００６】  特開平１１−１７２５０９号はエプロン部を連結・分離自在にし、エプロン部のスペア−によって着脱を楽にした被服の上衣・ズボンである。しかし、エプロン部の連結・分離することで着脱の時間がかかる事とエプロン部のスペア−を用意しなければならない不便さがある。また下衣は全開部が脇と内股にあると横寝した際、床ずれの要因となる。【０００７】  実用新案登録第３０６６２５号は、ポケット付き胸当て布の分離・結合。袖は袖口部、ズボンは足首部でファースナー止まりがあり、寝たままで着脱できる介護服である。しかし、本新案はポケット胸当ての分離・結合は着脱に時間がかかり、スペア−の用意も不便である。またズボンは全開でないため足をズボンに挿入する際、重労働が課せられる。【０００８】  実用新案登録第３０７９６６３号は上衣の脇下から袖口を全開。下衣は股下から足首までを全開して着脱を楽にした構成からなる介護ウェア−上下である。新案は脇下・内股側の開放のため横寝した場合、床ずれをひきおこす要因となる。【０００９】  特開２００４−２８５５４３号は前身ごろの中央と胸から前腕にかけての部分がマジックテ−プで開閉でき、着脱が簡単に出来る介護衣服である。しかし、本衣服はのりしろとマジックテ−プを利用して開放・分離しているが、前回の経験からマジックテ−プとのりしろを利用した結果、取り付けた部位の生地が波を打って肌にそぐわなかった。
また３箇所からマジックテ−プが集まる部位が盛り上がって見苦しい。ズボンは内股から足首にかけての全開であるため横に寝た場合、床ずれの要因となりやすい。そして何回もクリ−ニングするうちに、マジックテ−プが静電気によって糸くずが付くようになって汚くなる。
【考案の開示】
【考案が解決しようとする課題】
【００１０】  従来の介護服は下着・上衣・防寒着を重ね着するとき、着る枚数だけ着脱の時間がかかっていた事から本考案は、介護される側の苦痛・介護する側の労働を軽減し、素早く着脱が出来、清潔を保つ介護服を提供するものである。
【課題を解決するための手段】
【００１１】  本考案は上衣と下衣にテープを使用してオープンファースナーを設置し、その部分で上衣と下着を結合して２枚の服を１枚とした介護服である。上記の課題を解決する為に上衣と下着を重ねて患者の麻痺等を鑑み、左右どちらか一方を首元より袖口までオープンファースナーで全開し、反対側の首元より肩先までを上衣と下着がずれないようにミシンで縫い付ける。また、前身ごろ中央首元より下端までオープンファースナーで全開し、オープンファースナーで全開するのを利用して上衣と下着を一枚とする。ズボンは、ズボン胴回りのゴム巾だけ下着を下にずらして重ね、胴前中央より脇線側に、１２〜１３センチの位置で上端から下端までオープンファースナーで全開してオープンファースナー部分で上衣と下着を縫い付ける。また、長さ・柄を合わせる為に４．５センチ巾のテープを使用し、設置後、オープンファースナーを３センチ巾のテープで包み込んで肌に刺激を与えないように問題を解決している。
【考案の効果】
【００１２】  汗取りは着脱を多くし防寒は重ね着が必要である。２枚を１枚にする事で着脱が楽に素早く出来るようになった。また、開放しない側の首元から肩先までは上衣と下着を重ねて結縫し、ずれをなくした。【００１３】患者を横向きにし腕を腕挿通部に通し、背中に上衣・ズボン・タオルケットを入れ込み体を返し、手部・足部のオ−プンファスナ−を全開して腕・足を乗せてとじる。上衣・下衣を着せる。タオルケット敷きという３つの動作が１回で済むようになった。【００１４】  各箇所の全開で頭部・腕部・足部を持ち上げて挿入する際の労働・苦痛が軽減可能になった。【００１５】  収縮性のない生地の場合に、どうしても手・足を無理に動かして患者に痛みを与えてしまう。これを防ぐ事が可能になった。【００１６】  着脱時の引っ張りに依って起こる生地の裂け・破けがなくなった。【００１７】  ４．５センチ幅のテ−プを利用したことで柄・長さを合わせる事が出来、オ−プンファスナ−設置部分がワンポイントファッションとなった。【００１８】  オムツ交換も股下までファスナ−をスライドさせる事で、素早く取替えが可能となった。【００１９】  Ｔシャツ・ポロシャツ・セーター・防寒着などにオープンファースナーを付ける事で介護服の領域が広がった。【００２０】  防寒着にオープンフアースナーをつけたことで着脱が楽になって患者の外出時の寒さを防ぐ事が出来るようになった。【００２１】  オープンファースナーを３センチ幅のテープで包むことで、肌に直接触れないので刺激を抑えられた。【００２２】  本考案でねまきと外出着の区別が出来、外出時のおしゃれを楽しめるようになった。【００２３】  平成１５年から５年間、介護５の寝たきりの主人を介護してきました。その間、どうしたら楽に介護出来るかと悩み・考えました。最初は上衣のみに開放部分を設け着せる段階になって下着を着せないといけない事に気付き、いやになりました。悩み続けて出来た介護服です。夏など着脱回数の多い時期も苦痛なく過ごす事が出来たと思います。施設の職員の方がたもびっくりしていました。
【考案を実施するための最良の形態】
【００２４】  上衣と下着を重ね、首元より袖口までをオープンファースナーで全開し、前身ごろ中心首元より下端までオープンファースナーで全開してオープンファースナーで全開するのを利用して上衣と下着を一枚とする。ズボンは同周りのゴム巾でけ下着を下にずらして重ね、胴前中央より脇線側に１２〜１３センチの位置で足首中心真下までオープンファースナーで全開する。柄・長さを調節する為にオープンファースナーを付ける前に４．５センチ巾のテープを設置し、肌に刺激を与えないように３センチ巾のテープでオープンファースナーの布の部分を包むようにして最良の形態としている。
【実施例】
【００２５】以下、図示した考案の実施例について説明する。まず、図１・２に示すように本考案は上衣と下着を重ね、ズボンと下着を重ねた物を１セットとした構造になっている。上衣と下着を重ね合わせて４．５センチ巾のテープをミシンで縫い付け、切り開いたテープを裏に折り曲げて裏よりオープンファースナーを設置し、また、オープンファースナーを設置した箇所に３センチ巾のテープで包むようにして肌の刺激を和らげる構造図になっている。
【図面の簡単な説明】
【００２６】
【図１】  上衣と下着を重ねた図である。
【図２】  ズボンと下着を重ねた図である。
【図３】  オープンファーセナーに３センチ巾のテープを付ける位置。
【図４】  図１の展開図である。
【符号の説明】
【００２７】      １  上衣本体。
２  下着本体。
３  ４．５センチ巾のテープ。
４  ミシン縫い部位。
５  全開される位置。
６  ３センチ巾のテープの位置。
【図１】
0003142532.tif 000003
【図２】
0003142532.tif 000004
【図３】
0003142532.tif 000005
【図４】
0003142532.tif 000006